(57)【要約】      （修正有）【課題】折り畳み可能で防水性に優れた安全性の高い長靴を提供する。【解決手段】長靴１は、靴部２と、靴部２の開口側に接合された筒状部３と、を有する。靴部２はゴム製あるいは樹脂製であり、筒状部３は防水加工が施された布製である。筒状部３は折り畳み可能とされており、筒状部３には筒状部３の内周の大きさを調整するための面ファスナーベルト１２が設けられる。【選択図】図１
0003186441.tif 000002
【実用新案登録請求の範囲】
【請求項１】
靴部と、前記靴部の開口側に接合された筒状部と、を有し、
前記靴部はゴム製あるいは樹脂製であり、前記筒状部は防水加工が施された布製であり、
前記筒状部は折り畳み可能とされており、
前記筒状部には前記筒状部の内周の大きさを調整するための面ファスナーベルトが設けられていることを特徴とする長靴。
【請求項２】
前記筒状部の内面にはポリウレタンコーティングが施されており、前記ポリウレタンコーティングの表面に裏生地が設けられており、前記裏生地は前記筒状部に縫い付けられていることを特徴とする請求項１記載の長靴。
【請求項３】
前記筒状部はポリエステルで形成されていることを特徴とする請求項１または請求項２記載の長靴。
【請求項４】
前記筒状部は、前記靴部の開口側の外面を覆った状態で前記靴部に縫い付けられており、前記筒状部と重なる前記靴部の重なり面に防水加工が施されていることを特徴とする請求項１ないし請求項３のいずれかに記載の長靴。
【請求項５】
前記筒状部の外面には縫い目があり、前記縫い目には防水加工が施されていることを特徴とする請求項１ないし請求項４のいずれかに記載の長靴。
【請求項６】
前記靴部は、先芯入り及び踏み抜き防止板入りであることを特徴とする請求項１ないし請求項５のいずれかに記載の長靴。
【請求項７】
前記筒状部の外面には反射テープが縫い付けられていることを特徴とする請求項１ないし請求項６のいずれかに記載の長靴。
【考案の詳細な説明】
【技術分野】
【０００１】
本考案は、作業現場やアウトドアなどで用いられる安全性に優れた長靴に関する。
【背景技術】
【０００２】
下記の特許文献１及び特許文献２には折り畳み可能な長靴が開示されている。このように折り畳みを可能とした長靴では収納性を向上させることができ、持ち運びなどに便利である。
【０００３】
また特許文献３には、面ファスナーベルトを設けた安全靴が開示されている。特許文献３では、複数の面ファスナーベルトを設け、特に足首部に専用の面ファスナーベルトを設けることで、フィット性と衝撃吸収性を高めることができるとしている。
【先行技術文献】
【特許文献】
【０００４】
【特許文献１】実用新案登録第３１１６６８７号公報
【特許文献２】実用新案登録第３０６１０７８号公報
【特許文献３】特開平１０−１３７００６号公報
【考案の概要】
【考案が解決しようとする課題】
【０００５】
特許文献１に示すように、長靴に縊部を設けた構成では、製造が煩雑化し、また何度も折り畳んだり、折り畳んだ状態を長期間保持すると、縊部が劣化する問題があった。また長靴を折り畳める箇所は縊部だけとなっており、それ以外の箇所で適切に折り畳むことができず折り畳みの自由度が低い問題があった。
【０００６】
また特許文献２に記載された発明では、長靴に設けられた中空部に空気を出し入れして、長靴としての立体形状を保ち且つ、折り畳みを可能とする構成であるが、わざわざ使用者が空気の出し入れをしなければならず使用が煩雑化する。また安全性にも欠ける。
【０００７】
特許文献３に記載された安全靴は、折り畳み可能な構成ではなく、また防水性について何も記載されていない。
【０００８】
本考案は、かかる点に鑑みてなされたものであり、折り畳み可能で防水性に優れた安全性の高い長靴を提供することを課題とする。
【課題を解決するための手段】
【０００９】
本考案にかかる長靴は、靴部と、前記靴部の開口側に接合された筒状部と、を有し、前記靴部はゴム製あるいは樹脂製であり、前記筒状部は防水加工が施された布製であり、前記筒状部は折り畳み可能とされており、前記筒状部には前記筒状部の内周の大きさを調整するための面ファスナーベルトが設けられていることを特徴とするものである。
【００１０】
このように本考案では、長靴を靴部と筒状部とに分け、折り畳み可能とするために筒状部を布製としている。一方、靴部は従来と同様のゴム製としている。本考案では布製の筒状部を防水加工して筒状部での防水性を高めている。さらに足へのフィット性を高めて活動しやすくするために筒状部に面ファスナーベルトを設けている。このように本考案では、足へのフィット性や防水性に優れており、安全性の高い長靴にできる。また筒状部にて折り畳むことができ、収納性に優れている。
【００１１】
本考案では、前記筒状部の内面にはポリウレタンコーティングが施されており、前記ポリウレタンコーティングの表面に裏生地が設けられており、前記裏生地は前記筒状部に縫い付けられていることが好ましい。これにより、水しぶきなどに対する防水性（生活防水加工）を高めることができる。
【００１２】
また本考案では、前記筒状部はポリエステルで形成されていることが好適である。また本考案では、前記筒状部は、前記靴部の開口側の外面を覆った状態で前記靴部に縫い付けられており、前記筒状部と重なる前記靴部の重なり面に防水加工が施されていることが好ましい。これにより靴部と筒状部との間から水分が長靴の内部に浸み込むことを適切に抑制することができる。
【００１３】
また本考案では、前記筒状部の外面には縫い目があり、前記縫い目には防水加工が施されていることが好ましい。これにより水分が縫い目から長靴の内部に浸み込むことを適切に抑制することができる。
【００１４】
また本考案では、前記靴部は、先芯入り及び踏み抜き防止板入りであることが好ましい。また、本考案では、前記筒状部の外面には反射テープが縫い付けられていることが好ましい。
【考案の効果】
【００１５】
本考案によれば、折り畳み可能で防水性に優れた安全性の高い長靴にできる。
【図面の簡単な説明】
【００１６】
【図１】本実施の形態に係る長靴の右側面図である。
【図２】本実施の形態に係る長靴の左側面図である。
【図３】図１に示す長靴の縦断面図である。
【図４】本実施の形態に係る長靴の分解右側面図である。
【図５】本実施の形態の長靴を折り畳んだ状態を示す正面図である。
【考案を実施するための形態】
【００１７】
図１は、本実施の形態に係る長靴の右側面図である。図２は、本実施の形態に係る長靴の左側面図である。図３は、図１に示す長靴の縦断面図である。図４は、本実施の形態に係る長靴の分解右側面図である。
【００１８】
図１ないし図４に示すように本実施の形態に係る長靴１は、靴部２と、靴部２の開口２ａ（図３、図４Ｂ参照）側に接合された筒状部３とを有して構成される。
【００１９】
靴部２はゴム製あるいは樹脂製であり、筒状部３は防水加工が施された布製である。靴部２がゴム製である場合、靴部２に用いられるゴムの種類や天然ゴムと合成ゴムとの混合比などを制限するものでない。例えば、靴部２における合成ゴムの混合比を高くすると柔軟性が低下するが、本実施の形態では、折り畳みの機能を筒状部３に持たせたため、靴部２の柔軟性が低くても折り畳みの機能を低下させることはない。したがって本実施の形態では、合成ゴムの混合比が高いゴムにより靴部２を形成することが可能である。また靴部２が樹脂製である場合、靴部２を塩化ビニールやＥＶＡなどで形成することができるが、特に材質を限定するものではない。
【００２０】
靴部２はゴム製であるため防水性に優れている。図４Ｂに示すように靴部２は、履いたときに足首よりもやや上側までを覆う高さで形成されている。これにより足首付近までを適切にゴム製の靴部２で覆うことができ、フィット性及び安全性を向上させることができる。
【００２１】
図４Ｂに示すように、靴部２の開口２ａ付近の外面２ｂには、凸条部４が設けられている。凸条部４は、外面２ｂを一周する長さであり、靴部２の頂部２ｃから靴底２ｄ側にやや下がった位置に設けられる。そして凸条部４と頂部２ｃとの間の外面２ｂは、靴部２と筒状部３とを接合したときに、筒状部３が重なる重なり面５となっている。
【００２２】
重なり面５には起毛処理（ブラッシング）が施されている。また重なり面５には防水スプレーが掛けられて防水加工が施されている。
【００２３】
図３に示すように、靴部２の靴底２ｄの上面には踏み抜き防止板６が設けられている。踏み抜き防止板６の表面には中敷き７が接着などで固定されている。これにより踏み抜き防止板６が直接、足裏に当たることはない。中敷き７の中に踏み抜き防止板６が入っているものを靴底２ｄに配置してもよい。また踏み抜き防止板６を靴底２ｄの内部に入れることもできる。踏み抜き防止板６の材質を特に限定するものでないが、踏み抜き防止板６をステンレスあるいはアラミド繊維などで形成できる。
【００２４】
また中敷き７の材質を特に限定するものでないが、ポリウレタンなどの一般的な材質を用いることができる。
【００２５】
図３に示すように、靴部２の足先部２ｅには例えば鉄製の先芯８が入っている。さらに先芯８の表面が裏生地９で覆われている。これにより先芯８が直接、足先に当たることはない。裏生地９は中敷き７などと同じ材質であってもよいし異なる材質であってもよい。中敷き７及び裏生地９はいずれも防水スプレーなどにより防水加工が施されていることが好適である。
【００２６】
このように本実施の形態の靴部２には、踏み抜き防止板６及び先芯８が入っており、踏み抜き防止板６入りにより足裏を保護でき、先芯８入りにより足先を保護することができる。
【００２７】
本実施の形態に示す筒状部３は、図４Ａに示すように上方部３ａと下方部３ｂとが開口された筒状で形成されている。筒状部３は布製であり、例えばポリエステルの厚生地１０（図３参照）で形成されている。
【００２８】
図１、図２に示すように筒状部３は靴部２の外面２ｂに縫い付けられ、これにより靴部２と筒状部３とが接合されて一体化される。筒状部３の下方部３ｂの開口径は靴部２の開口２ａの開口径よりもやや大きく、図３に示すように筒状部３を構成する厚生地１０を靴部２の開口２ａの外面２ｂに設けられた重なり面５上に重ねた状態で縫い付けることができる。
【００２９】
図３に示すように厚生地１０の内面（裏面）にはポリウレタンコーティング１１が施されている。さらにポリウレタンコーティング１１の表面に裏生地２０が設けられており、例えば、裏生地２０は厚生地１０に縫い付けられている。ポリウレタンコーティング１１は均一な厚さで且つムラなくコーティングできる。ポリウレタンコーティング１１を筒状部３の略全体に施すことで、水しぶきなどに対して優れた防水性（生活防水加工）を発揮することができる。
【００３０】
筒状部３に設けられた裏生地２０には、ゴアテックス（登録商標）などを用いることができるが特に材質を限定するものでない。ただし、筒状部３の裏生地２０は脛や脹脛が当たる部分であるため、肌にやさしい材質であることが好適である。また裏生地２０は防水加工されていることが好ましい。
【００３１】
筒状部３の高さ（上方部３ａから下方部３ｂまでの長さ）は、長靴１の使用用途などにより種々変更可能である。図１、図２に示す長靴１は、膝下あたりまで筒状部３で覆うことができる程度の高さを有している。
【００３２】
筒状部３には、筒状部３の内周の大きさを調整するための面ファスナーベルト１２が設けられている。面ファスナーベルト１２は、面ファスナー（着脱部）１２ａとベルト部１２ｂとを有して構成される。面ファスナー１２ａを、いわゆるマジックテープ（登録商標）で構成できる。
【００３３】
例えば図１に示す長靴１の右側面に面ファスナー１２ａが設けられている。面ファスナー１２ａは、例えば、筒状部３の外面３ｃに縫い付けられたループ状に起毛された面と、ベルト部１２ｂの先端に位置する、フック状に密集して起毛された面とで構成される。ループ状に起毛された面とフック状に起毛された面とが対向して設けられており、各面間を貼り付けたり、引き剥がしたりすることが可能とされている。
【００３４】
図２に示すように筒状部３の左側面の外面３ｃには略リング状の金具１４を保持するための保持部１３が縫い付けられている。そしてベルト部１２ｂは、図１に示す右側面にて面ファスナー１２ａを構成するフック状に起毛された面と一体で形成され、右側面から正面及び図２に示す左側面に延出し、金具１４を通って再び、左側面から正面及び図１に示す右側面に延出して、面ファスナー１２ａのループ状に起毛された面にまで一体的に繋がっている。ベルト部１２ｂをきつく締めた状態で面ファスナー１２ａを留めることで、筒状部３の内周の大きさを小さくでき、ベルト部１２ｂを緩めた状態で面ファスナー１２ａを留めることで、筒状部３の内周の大きさを大きくできる。筒状部３の内周の大きさを、使用用途や足の太さなどに応じて自由に調整することができる。
【００３５】
また図１、図２に示すように、筒状部３の上方部３ａには、上方部３ａの開口径を調整するための調整部材１７が設けられている。調整部材１７は、筒状部３の外面３ｃと内面との間を周回し筒状部３の外面３ｃから外側に引き延ばされた紐部１８を備え、紐部１８を結んで筒状部３の周回長さを調整することが可能とされている。あるいは調整部材１７は、紐部１８と、紐部１８が通されて筒状部３における紐部１８の周回長さを調整することが可能な留め具（図示せず）とを備えて構成されてもよい。
【００３６】
調整部材１７により筒状部３の上方部３ａの開口径を調整して、足と筒状部３の上方部３ａとの間に隙間ができないようにすることができる。
【００３７】
図１、図２、図４Ａに示すように筒状部３の外面３ｃには反射テープ１５が縫い付けられている。これにより長靴１を暗闇でもよく目立たせることができ、夜の作業などを安心して行うことができる。
【００３８】
図１や図２に示すように、筒状部３の外面３ｃには縫い目１６がある。図１及び図２に示す点線がいずれも縫い目１６であるが、図１、図２にはそれぞれ一つの縫い目１６にのみ符号を付した。
【００３９】
図１及び図２に示すように縫い目１６は、保持部１３や反射テープ１５を筒状部３の外面３ｃに縫い付けた部分のみならず、厚生地１０を筒状とするために厚生地１０の端同士を縫い合わせた部分も含まれる。また調整部材１７が設けられた布製の上方部分が、筒状部３と別に設けられている構成では、前記上方部分と筒状部３とを縫い合わせた構成にでき、この場合の縫い目も含まれる。本実施の形態における縫い目１６は防水加工が施されている。例えば縫い目１６の防水加工としては、各縫い目１６に沿って防水のりを塗布し、防水のりを乾かした後、その上から防水スプレーを掛けることで達成できる。防水のりはその後に用いられる防水スプレーよりも防水性に優れたものであることが好適である。
【００４０】
図５は、本実施の形態の長靴１を折り畳んだ状態を示す正面図である。本実施の形態における筒状部３は布製であるから、筒状部３を簡単に折り畳むことができる。また筒状部３は布製であるから何度、折り畳んでも筒状部３に折り畳みの跡が付かず、また折り畳みに伴う劣化は生じない。さらに折り畳み位置の自由度が高い。ただし面ファスナーベルト１２が設けられている位置では、筒状部３の外面３ｃに生地が重なって厚くなっているため、面ファスナーベルト１２が設けられていない位置にて筒状部３を折り畳みやすくなっている。
【００４１】
本実施の形態における長靴１の製造方法について説明する。以下では、筒状部３に対する加工を、靴部２に対する加工よりも先に記載するが、加工の順番を規定したものではない。
【００４２】
図４Ａに示す筒状部３に対しては図３で説明したように厚生地１０の内面（裏面）にポリウレタンコーティング１１を施し、さらにポリウレタンコーティング１１の表面に裏生地２０を当て、裏生地２０を厚生地１０に縫い合わせる。
【００４３】
図４Ａに示す筒状部３の外面に現れる縫い目１６に沿って防水のりを塗布する。縫い目１６は図４Ａに示す点線にて表されるが、図４Ａでは一か所の縫い目１６にのみ符号を付した。防水のりを乾燥させた後、防水スプレーを施す。防水スプレーは筒状部３の外面３ｃ全体に掛けることができる。また縫い目１６と同様に、図４Ａに示す筒状部３の下方部３ｂの外周に沿って防水のりを塗布し、乾燥後、防水スプレーを施す。
【００４４】
図４Ｂに示す靴部２では、重なり面５に対して起毛処理（ブラッシング）を施し、続いて重なり面５に防水スプレーを掛ける。また、凸条部４に特殊な処理剤を塗布する。その後、靴部２を乾燥室に入れ、乾燥させる。
【００４５】
重なり面５上に接着剤を塗布する。続いて、筒状部３の下方部３ｂが靴部２の重なり面５上に重なるように筒状部３を靴部２に重ね合わせて筒状部３を靴部２の重なり面５上に接着する。さらに筒状部３を靴部２の凸条部４に略沿って縫い合わせる。
【００４６】
上記したように重なり面５には起毛処理が施されているため、靴部２の重なり面５上に筒状部３を強く接着させることができる。また重なり面５及び凸条部４に対して防水加工を施しており、これにより、筒状部３と靴部２との重なり部分から水分が長靴１の内部に浸み出すのを適切に防止することができる。
【００４７】
本実施の形態における長靴１の特徴的部分について説明する。本実施の形態では、長靴１をゴム製の靴部２と布製の筒状部３とに分けて構成している。これにより靴部２よりも柔軟性のある筒状部３に、筒状部３の内周の大きさを調整するための面ファスナーベルト１２を設けることができ、適切且つ容易に筒状部３の内周の大きさを調整できる。このように本実施の形態は、長靴１であるのに面ファスナーベルト１２を設けることができ、これにより面ファスナーベルト１２を用いて、長靴１を足にフィットさせることができ、長靴１を履いて安全に活動することができる。また面ファスナーベルト１２であるから、使用者は簡単に筒状部３の内周の大きさを調整することができる。
【００４８】
また布製の筒状部３を図５に示すように折り畳むことができる。これにより長靴１の収納性を向上させることができる。例えば長靴１を非難用具として用いる場合には、非難用具用の収納入れに長靴１を折り畳んで収納できる。このとき収納が長期間に及んでも、筒状部３には折り畳んだ位置に跡が付かず、また折り畳んだ位置から材質の劣化などが生じるのを防止することができる。
【００４９】
また本実施の形態では、布製の筒状部３を防水加工している。本実施の形態によれば、少なくとも生活防水を達成できる。本実施の形態では、筒状部３を構成する厚生地１０の裏面にポリウレタンコーティング１１を施している。さらに筒状部３の縫い目１６に対しても防水加工を施しており、水分が長靴１の内部に浸み込むのを適切に抑制することができる。
【００５０】
本実施の形態によれば、折り畳みが可能で防水性に優れた安全性の高い長靴１を提供できる。本実施の形態の長靴１は幅広い用途に使用できる。具体的には災害時の防災長靴として、建築、土木などのあらゆる作業現場用の安全長靴として、アウトドア用、レジャー用などのファッション性に優れた安全長靴として使用できる。
図１や図２に示すように筒状部３に反射テープ１５を設けることで、暗闇でも長靴１を目立たせることができ、安心して夜の作業や活動を行うことができる。
【００５１】
また長靴１が作業現場用の安全長靴として使用される場合には、靴部２に踏み抜き防止板６や先芯８を入れることで、足裏や足先を適切に保護でき、安全性に優れた長靴１にできる。
【産業上の利用可能性】
【００５２】
本考案に係る長靴は、工業的に量産することが可能であるため、産業上の利用可能性を有している。
【符号の説明】
【００５３】
１  長靴
２  靴部
２ａ  開口
２ｂ、３ｃ  外面
２ｄ  靴底
２ｅ  足先部
３  筒状部
４  凸条部
５  重なり面
６  踏み抜き防止板
７  中敷き
８  先芯
９、２０  裏生地
１０  厚生地
１１  ポリウレタンコーティング
１２  面ファスナーベルト
１２ａ  面ファスナー
１２ｂ  ベルト部
１３  保持部
１４  金具
１５  反射テープ
１６  縫い目
１７  調整部材
１８  紐部
【図１】
0003186441.tif 000003
【図２】
0003186441.tif 000004
【図３】
0003186441.tif 000005
【図４】
0003186441.tif 000006
【図５】
0003186441.tif 000007